(57)【要約】【課題】  撮影モジュールの組立てと製品全体の外観設計を有利にでき、コスト低下と本体の空間維持が可能である撮影機能を具えたディスプレーパネルを提供する。【解決手段】  ディスプレーパネル１の表板に延伸区１１が設置され、延伸区１１の内部には撮影モジュール２が設置されている。撮影モジュール２の回路とディスプレーモジュールの回路は、統合され、単一の信号伝送部品３１により伝送される。延伸区１１の内部には、２組の撮影モジュール２を設置可能である。延伸区１１の内部には、照明部品が設置されている。ディスプレーパネル１は、撮影モジュール２をディスプレーパネル１に統合することにより、製品開発と設計を有利にし、ディスプレーパネル１を設置するだけで、同時に撮影モジュール２も設置することができる。また、本体空間の占拠が少なく、製品機能の拡充に有利である。【選択図】    図１
2006352427.tif 000002
【特許請求の範囲】
【請求項１】
ディスプレーパネルの表板に延伸区が設置され、前記延伸区の内部には撮影モジュールが設置されていることを特徴とする撮影機能を具えたディスプレーパネル。
【請求項２】
前記撮影モジュールの回路とディスプレーモジュールの回路は、統合され、単一の信号伝送部品により伝送されることを特徴とする請求項１記載の撮影機能を具えたディスプレーパネル。
【請求項３】
前記延伸区の内部には、２組の撮影モジュールを設置可能であることを特徴とする請求項１記載の撮影機能を具えたディスプレーパネル。
【請求項４】
前記延伸区の内部には、照明部品が設置されていることを特徴とする請求項１記載の撮影機能を具えたディスプレーパネル。
【発明の詳細な説明】
【技術分野】
【０００１】
本発明は、撮影機能を具えたディスプレーパネルに関する。特に、ディスプレーパネルの表板の延伸区内部に撮影モジュールを設置し、撮影モジュールの回路とディスプレーモジュールの回路を統合し、しかも単一信号伝送部品により伝送する撮影機能を具えたディスプレーパネルに関わる。
【背景技術】
【０００２】
３C製品においては、現在既に多種の機能を一台に統合した製品が多く存在する。最もよく見られるものは、携帯電話端末にデジカメを組み合わせたものである。それは、携帯電話端末のケース体上にデジタル撮影レンズを設置するものであるが、この他、コンピュータ使用者がインターネットを利用してデジタル会議を開く便のため、業者が液晶ディスプレーのフレーム上にデジタル撮影レンズを設置するものもある。
【０００３】
しかし、上記製品は、表面上はデジタルカメラ或いは撮影の機能を具えてはいるが、実際には、デジタル撮影モジュールは独立しており、デジタル撮影レンズがある以外に、独立した回路板と信号伝送部品を具えている。そのため、製品の生産者にとっては、デジタル撮影レンズを製品ケース体上に設置しなければならない手間がかかり、さらに回路信号伝送部品と本体回路板を接続しなければならない。
【０００４】
このため、組立てにおいては、別に一台のデジタル撮影機を組立てることに等しく、組立て時間とコストは共に増加する。さらに、デジタル撮影モジュールの信号伝送部品は、元々本体回路板に残してあった信号伝送部品連接ポートを使用せざるを得ないため、本体の拡充機能を減少させてしまう。しかも、製品の全体設計上は、デジタル撮影モジュールをケース体空間内に入れなければならず、設計上の制限は増大し、さらに、外観上は明らかな突出部分を残すことになり、視覚的に美しくない。
【０００５】
また、ディスプレー（或いは携帯電話端末のディスプレー）パネルの表板は光線を通すように透明材質で製造されるが、ディスプレーパネルの周縁はすべてフレーム内（或いは携帯電話端末ケース体内）に固定されている。そのため、ディスプレー枠フレーム或いは携帯電話端末ケース体にのみ撮影モジュールを設置可能な訳ではないのに、撮影モジュールをディスプレーパネルの表板内に設置する構造は現在のところ存在しない。
【発明の開示】
【発明が解決しようとする課題】
【０００６】
公知構造には以下の欠点がある。
すなわち、公知の技術は、撮影モジュールをディスプレーパネルの枠フレーム（或いはケース体）に設置することにより、明らかに組立てを難しくしており、コストを増加させ、本体の空間を占拠し、外観設計が容易でないなどの欠点があり、さらに、使用者には全体的に一体感のない視覚的印象を与えている。
本発明は、上記構造の問題点を解決する撮影機能を具えたディスプレーパネルを提供するものである。
【課題を解決するための手段】
【０００７】
上記課題を解決するため、本発明は、下記の撮影機能を具えたディスプレーパネルを提供する。
それは、主に、生産者にとっては撮影モジュールの組立てと製品全体の外観設計が有利になり、コスト低下と本体の空間維持が可能で、使用者はより良い視覚的感覚を得ることができる。
【０００８】
また、それは、ディスプレーパネルの表板の延伸区内部に撮影モジュールを設置し、撮影モジュールの回路とディスプレーモジュールの回路を統合し、しかも単一信号伝送部品により伝送することを特徴とする撮影機能を具えたディスプレーパネルである。
【０００９】
上記のように、本発明は、撮影モジュールをディスプレーパネルに統合することにより、製品開発と設計を有利にし、組立て時には、ディスプレーパネルを設置するだけで、同時に撮影モジュールをも設置することができる。また、本体空間の占拠が少なく、製品機能の拡充に有利である。
【発明を実施するための最良の形態】
【００１０】
図１及び図２に示すように、本発明の一実施例によるディスプレーパネル１は、表板に延伸区１１が設置され、該延伸区１１内部には撮影モジュール２が設置されている。
該撮影モジュール２の回路とディスプレーモジュールの回路は、回路板３に統合され、しかも単一信号伝送部品３１により伝送される。上記構成部品は、サポート部品４上に設置される。該サポート部品４は、枠フレーム或いは製品のケース体で、本実施例をモジュールと成す。また、該延伸区１１の表面にはレンズ区の透光部を残して塗装を施し、これにより、外観上は撮影レンズを設置しているという視覚的突出感を感じにくくし、使用者は視覚上はディスプレー区のみを感じ、より良い外観を形成することができる。さらに、生産者にとっては、製品全体の外観設計に便利で、撮影モジュールの生産と組立てが有利である。
【００１１】
応用時には、本実施例のディスプレーパネル１は、コンピュータ、テレビ、携帯電話端末或いはモニタシステム中において使用する液晶ディスプレー（ＬＣＤ）、プラズマディスプレー（ＰＤＰ）、フィールドエミッションディスプレー（ＦＥＤ）、リアプロジェクションディスプレー（ＬＣＯＳ）、有機発光ダイオードディスプレー（ＯＬＥＤ）またはエレクトロルミネッセンスディスプレー（ＥＬ）などの平面ディスプレー或いはその他のディスプレーである。図３、図４及び図５に示すように、サポート部品４Ａとサポート部品４Ｂとサポート部品４Ｃとはそれぞれ製品ケース体（ディスプレーパネル１Ａとディスプレーパネル１Ｂとディスプレーパネル１Ｃの枠フレーム）で、該ディスプレーパネル１Ａとディスプレーパネル１Ｂとディスプレーパネル１Ｃの表板の延伸区１１Ａと延伸区１１Ｂと延伸区１１Ｃにはそれぞれ撮影レンズ組２Ａと撮影レンズ組２Ｂと撮影レンズ組２Ｃとが設置されている。
【００１２】
図６に示すように、本実施例をダブルレンズ製品に応用する場合、図中のＬＣＤのケース体はサポート部品４Ｄ（ディスプレーパネル１Ｄの枠フレームを含む）で、該ディスプレーパネル１Ｄの表板の延伸区１１Ｄに２組の撮影レンズ組２Ｄが設置される。使用者は、テレビ会議を行う時、立体撮影によりリアルな影像を提供することができる。
【００１３】
図７に示すように、本実施例をフラッシュを具えた製品に応用する場合には、図中の携帯電話端末のケース体はサポート部品４Ｅ（ディスプレーパネル１Ｅの枠フレームを含む）で、該ディスプレーパネル１Ｅの表板の延伸区１１Ｅに撮影レンズ組２Ｅと照明部品２１Ｅが設置される。該照明部品２１Ｅは、フラッシュ或いはＬＥＤである。
【図面の簡単な説明】
【００１４】
【図１】本発明の一実施例による撮影機能を具えたディスプレーパネルを示す前面図である。
【図２】図１をＡ−Ａ線で切断した断面図である。
【図３】本発明の一実施例による撮影機能を具えたディスプレーパネルの携帯電話端末に応用する状態を示す模式図である。
【図４】本発明の一実施例による撮影機能を具えたディスプレーパネルのＰＤＡに応用する状態を示す模式図である。
【図５】本発明の一実施例による撮影機能を具えたディスプレーパネルのＬＣＤに応用する状態を示す模式図である。
【図６】本発明の一実施例による撮影機能を具えたディスプレーパネルのダブルレンズ製品に応用する状態を示す模式図である。
【図７】本発明の一実施例による撮影機能を具えたディスプレーパネルのフラッシュを具えた製品に応用する状態を示す模式図である。
【符号の説明】
【００１５】
１  ディスプレーパネル、１Ａ  ディスプレーパネル、１Ｂ  ディスプレーパネル、１１Ｃ  ディスプレーパネル、１Ｄ  ディスプレーパネル、１Ｅ  ディスプレーパネル、２  撮影モジュール、２Ａ  撮影レンズ組、２Ｂ  撮影レンズ組、２Ｃ  撮影レンズ組、２Ｄ  撮影レンズ組、２Ｅ  撮影レンズ組、３  回路板、４  サポート部品、４Ａ  サポート部品、４Ｂ  サポート部品、４Ｃ  サポート部品、４Ｄ  サポート部品、４Ｅ  サポート部品、１１  延伸区、１１Ａ  延伸区、１１Ｂ  延伸区、１１Ｃ  延伸区、１１Ｄ  延伸区、１１Ｅ  延伸区、２１Ｅ  照明部品、３１  信号伝送部品
【図１】
2006352427.tif 000003
【図２】
2006352427.tif 000004
【図３】
2006352427.tif 000005
【図４】
2006352427.tif 000006
【図５】
2006352427.tif 000007
【図６】
2006352427.tif 000008
【図７】
2006352427.tif 000009